(57)【要約】【課題】コミュニケーションの相手を明確に特定可能なコミュニケーション装置を提供する。【解決手段】本発明の一側面に係るコミュニケーション装置は、開閉可能に綴じられた複数のページ部であって、それぞれ対象人物に対応付けされる複数のページ部と、前記複数のページ部のうち開かれているページ部を検出する検出センサと、ユーザが前記対象人物とコミュニケーションを行うための入出力装置と、前記検出センサにより検出された前記開かれているページ部に対応する対象人物が前記コミュニケーションの相手になるように、前記入出力装置による前記コミュニケーションを制御する制御装置と、を備える。【選択図】図２
2018147441.tif 000002
【特許請求の範囲】
【請求項１】
開閉可能に綴じられた複数のページ部であって、それぞれ対象人物に対応付けされる複数のページ部と、
前記複数のページ部のうち開かれているページ部を検出する検出センサと、
ユーザが前記対象人物とコミュニケーションを行うための入出力装置と、
前記検出センサにより検出された前記開かれているページ部に対応する対象人物が前記コミュニケーションの相手になるように、前記入出力装置による前記コミュニケーションを制御する制御装置と、
を備える、
コミュニケーション装置。
【請求項２】
前記複数のページ部は、全ての対象人物に対応付けられる共有ページ部と、各対象人物個別に対応付けられる個別ページ部と、を含む、
請求項１に記載のコミュニケーション装置。
【請求項３】
検出された前記開かれているページ部が前記共有ページ部である場合に、前記制御装置は、前記共有ページ部に対応付けられた全ての対象人物を所定のキャラクタに置き換えて、当該キャラクタが前記コミュニケーションの相手になるように、前記コミュニケーションを制御する、
請求項２に記載のコミュニケーション装置。
【請求項４】
前記入出力装置は、マイク及びスピーカにより構成され、
前記コミュニケーションは音声により行われる、
請求項１から３のいずれか１項に記載のコミュニケーション装置。
【請求項５】
前記音声を録音した録音データ及び／又は前記音声の合成に利用可能なメッセージデータを格納する所定のサーバと通信を行うように構成された通信部を更に備える、
請求項４に記載のコミュニケーション装置。
【請求項６】
請求項２又は３に記載のコミュニケーション装置の前記ユーザとコミュニケーションを行う前記対象人物が利用する通信端末であって、
前記共有ページ部及び前記個別ページ部のいずれかを選択した上で、前記コミュニケーションにおいて前記ユーザに伝達するメッセージの入力を受け付けるように構成された入力装置と、
選択した前記共有ページ部及び前記個別ページ部のいずれかが開かれた際に、前記入力されたメッセージが前記コミュニケーション装置で再生されるように、当該入力されたメッセージを前記コミュニケーション装置に向けて送信する通信部と、
を備える、
通信端末。
【請求項７】
請求項５に記載のコミュニケーション装置の前記ユーザとコミュニケーションを行う前記対象人物が利用する通信端末であって、
前記音声の録音データ及び／又は前記音声の合成に利用可能なメッセージデータの入力を受け付けるように構成された入力装置と、
入力された前記録音データ及び／又は前記メッセージデータを前記サーバに送信するように構成された通信部と、
を備える、
通信端末。
【発明の詳細な説明】
【技術分野】
【０００１】
本発明は、コミュニケーション装置及び通信端末の技術に関する。
【背景技術】
【０００２】
近年、様々なコミュニケーション装置が提案されている。例えば、非特許文献１には、利用者である子供が離れた場所に居る親とコミュニケーションを行うことができるように、親の所持する携帯電話と通信を行うコミュニケーションロボットが提案されている。このコミュニケーションロボットによれば、離れた場所に居る子供と親とのコミュニケーションを促進することができる。
【先行技術文献】
【非特許文献】
【０００３】
【非特許文献１】“BOCCO 家族をつなぐコミュニケーションロボット”、［online］、［平成２９年２月２０日検索］、インターネット〈URL：http://www.bocco.me/〉
【発明の概要】
【発明が解決しようとする課題】
【０００４】
しかしながら、上記のコミュニケーションロボットでは、複数の対象人物の間で共通のインタフェースが利用されている。そのため、複数の対象人物がコミュニケーション相手の候補となり得る場合に、利用者は、当該コミュニケーションの相手が誰であるかを明確に特定することができないという問題点があった。
【０００５】
本発明は、一側面では、このような実情を鑑みてなされたものであり、その目的は、コミュニケーションの相手を明確に特定可能なコミュニケーション装置を提供することである。
【課題を解決するための手段】
【０００６】
本発明は、上述した課題を解決するために、以下の構成を採用する。
【０００７】
すなわち、本発明の一側面に係るコミュニケーション装置は、開閉可能に綴じられた複数のページ部であって、それぞれ対象人物に対応付けされる複数のページ部と、前記複数のページ部のうち開かれているページ部を検出する検出センサと、ユーザが前記対象人物とコミュニケーションを行うための入出力装置と、前記検出センサにより検出された前記開かれているページ部に対応する対象人物が前記コミュニケーションの相手になるように、前記入出力装置による前記コミュニケーションを制御する制御装置と、を備える。
【０００８】
当該構成では、開閉可能に綴じられた複数のページ部が用意され、コミュニケーションの相手となる複数の対象人物はそれぞれ各ページ部に対応付けられている。そのため、コミュニケーションを行う際には、ユーザは、コミュニケーションを行う相手として所望する対象人物に対応するページ部を開くことで、コミュニケーションを行う相手を指定することができる。したがって、当該構成によれば、コミュニケーションの相手をページ部によって明確に特定することができる。
【０００９】
上記一側面に係るコミュニケーション装置において、前記複数のページ部は、全ての対象人物に対応付けられる共有ページ部と、各対象人物個別に対応付けられる個別ページ部と、を含んでよい。当該構成によれば、共有ページ部を利用したやりとりは、複数の対象人物全員に共有するようにすることができ、個別ページ部を利用したやりとりは、対応する対象人物にのみ開示されるようにすることができる。すなわち、共有ページ部及び個別ページ部の２種類のページ部を利用することで、各対象人物とユーザとの間のやりとりを開示する範囲を切り替えることができる。
【００１０】
上記一側面に係るコミュニケーション装置において、検出された前記開かれているページ部が前記共有ページ部である場合に、前記制御装置は、前記共有ページ部に対応付けられた全ての対象人物を所定のキャラクタに置き換えて、当該キャラクタが前記コミュニケーションの相手になるように、前記コミュニケーションを制御してよい。当該構成によれば、対象人物又はユーザに直接的には伝達し難いやりとりを、キャラクタを介して対象人物又はユーザに間接的に伝達するようにすることができる。すなわち、キャラクタを介したコミュニケーションを可能にすることで、対象人物又はユーザに伝達する際の心理的な障害を低減することができ、これによって、対象人物とユーザとの間のコミュニケーションを促進することができる。
【００１１】
上記一側面に係るコミュニケーション装置において、前記入出力装置は、マイク及びスピーカにより構成されてよく、前記コミュニケーションは音声により行われてもよい。当該構成によれば、ユーザと対象人物との間のコミュニケーションを音声により行うことができる。
【００１２】
上記一側面に係るコミュニケーション装置は、前記音声を録音した録音データ及び／又は前記音声の合成に利用可能なメッセージデータを格納する所定のサーバと通信を行うように構成された通信部を更に備えてもよい。当該構成によれば、対象人物とユーザとの間で伝達するやりとりの少なくとも一部をサーバに保存するようにすることができる。これにより、コミュニケーション装置の記憶装置の容量が比較的に小さい場合であっても、対象人物とユーザとの間で多様なやりとりを行うことができる。
【００１３】
また、本発明の一側面に係る通信端末は、上記形態に係るコミュニケーション装置の前記ユーザとコミュニケーションを行う前記対象人物が利用する通信端末であって、前記共有ページ部及び前記個別ページ部のいずれかを選択した上で、前記コミュニケーションにおいて前記ユーザに伝達するメッセージの入力を受け付けるように構成された入力装置と、選択した前記共有ページ部及び前記個別ページ部のいずれかが開かれた際に、前記入力されたメッセージが前記コミュニケーション装置で再生されるように、当該入力されたメッセージを前記コミュニケーション装置に向けて送信する通信部と、を備える。
【００１４】
また、本発明の一側面に係る通信端末は、上記形態に係るコミュニケーション装置の前記ユーザとコミュニケーションを行う前記対象人物が利用する通信端末であって、前記音声の録音データ及び／又は前記音声の合成に利用可能なメッセージデータの入力を受け付けるように構成された入力装置と、入力された前記録音データ及び／又は前記メッセージデータを前記サーバに送信するように構成された通信部と、を備える。
【発明の効果】
【００１５】
本発明によれば、コミュニケーションの相手を明確に特定可能なコミュニケーション装置を提供することができる。
【図面の簡単な説明】
【００１６】
【図１】図１は、本発明が適用される場面を模式的に例示する。
【図２】図２は、実施の形態に係るコミュニケーション装置を例示する。
【図３】図３は、実施の形態に係るコミュニケーション装置のシステム構成を例示する。
【図４】図４は、実施の形態に係る通信端末のハードウェア構成を例示する。
【図５】図５は、実施の形態に係るデータサーバのハードウェア構成を例示する。
【図６】図６は、実施の形態に係るコミュニケーション装置の機能構成を例示する。
【図７】図７は、実施の形態に係る通信端末の機能構成を例示する。
【図８】図８は、実施の形態に係るコミュニケーション装置の処理手順を例示する。
【図９】図９は、実施の形態に係るコミュニケーション装置の共有ページ部が開かれている時の処理手順を例示する。
【図１０】図１０は、実施の形態に係るコミュニケーション装置の個別ページ部が開かれている時の処理手順を例示する。
【図１１】図１１は、実施の形態に係る通信端末の処理手順を例示する。
【発明を実施するための形態】
【００１７】
以下、本発明の一側面に係る実施の形態（以下、「本実施形態」とも表記する）を、図面に基づいて説明する。ただし、以下で説明する本実施形態は、あらゆる点において本発明の例示に過ぎず、その範囲を限定しようとするものではない。本発明の範囲を逸脱することなく種々の改良や変形を行うことができることは言うまでもない。つまり、本発明の実施にあたって、実施形態に応じた具体的構成が適宜採用されてもよい。なお、本実施形態において登場するデータを自然言語により説明しているが、より具体的には、コンピュータが認識可能な疑似言語、コマンド、パラメタ、マシン語等で指定される。
【００１８】
§１  適用場面
まず、図１を用いて、本発明が適用される場面について説明する。図１は、本実施形態に係るコミュニケーション装置１が利用される場面の一例を模式的に例示する。
【００１９】
図１に示されるとおり、本実施形態に係るコミュニケーション装置１は、データサーバ３を介して複数の通信端末２とメッセージのやりとりを行うことができる。これにより、コミュニケーション装置１のユーザは、それぞれ通信端末２を利用する複数の対象人物とコミュニケーションをとることができる。
【００２０】
具体的には、コミュニケーション装置１は、ネットワークを介してデータサーバ３に接続することで、所望の対象人物に対するメッセージをデータサーバ３に登録し、各対象人物からのメッセージをデータサーバ３から取得することができる。同様に、各通信端末２は、ネットワークを介してデータサーバ３に接続することで、ユーザに対するメッセージをデータサーバ３に登録し、ユーザからのメッセージをデータサーバ３から取得することができる。このように、ユーザと各対象人物とは、データサーバ３を介してメッセージのやりとりを行うことで、コミュニケーションをとることができる。
【００２１】
更に、本実施形態では、コミュニケーション装置１は、開閉可能に綴じられた複数のページ部（後述する共有ページ部１０４及び個別ページ部１０５）であって、それぞれ対象人物に対応付けされる複数のページ部を備えており、複数のページ部のうち開かれているページ部を検出可能に構成される。これにより、コミュニケーション装置１は、開かれているページ部に対応する対象人物がコミュニケーションの相手になるように、当該コミュニケーション（メッセージのやりとり）を制御することができる。
【００２２】
以上のとおり、本実施形態に係るコミュニケーション装置１によれば、コミュニケーションを行う相手として所望する対象人物に対応するページ部を開くことで、コミュニケーションを行う相手を指定することができる。したがって、ユーザは、コミュニケーションを行う際に、当該コミュニケーションを行う相手を明確に特定することができる。以下、各装置について詳細に説明する。
【００２３】
§２  構成例
［ハードウェア構成例］
＜コミュニケーション装置＞
まず、図２及び図３を用いて、コミュニケーション装置１のハードウェア構成について説明する。図２は、本実施形態に係るコミュニケーション装置１の外観を例示する斜視図である。図３は、本実施形態に係るコミュニケーション装置１のシステム構成を模式的に例示する。
【００２４】
図２に示されるとおり、本実施形態に係るコミュニケーション装置１は、鳥のキャラクタを模した形状を有する筐体１００を備えている。筐体１００の一方の側辺部（図２では左側の側辺部）にはヒンジ部１０１が設けられており、このヒンジ部１０１を介して、表紙部１０２と４つの板片部１０３とが回動可能に連結されている。これにより、表紙部１０２及び４つの板片部１０３は、筐体１００の他方の側辺部からめくることができるように構成されている。
【００２５】
表紙部１０２は、最も表側に配置されており、鳥の胴体及び羽根を模した形状を有している。一方、各板片部１０３は、表紙部１０２の内側に配置されており、矩形状でかつ平板状の形状を有している。なお、以下では、表側から順に、４つの板片部１０３をそれぞれ１〜４番目の板片部１０３とも称する。本実施形態では、これら４つの板片部１０３によって、それぞれ対象人物に対応付けられる５つのページ部が構成されている。また、５つのページ部は、全ての対象人物に対応付けられる共有ページ部１０４と、各対象人物個別にそれぞれ対応付けられる４つの個別ページ部１０５と、を含んでいる。
【００２６】
具体的には、１番目の板片部１０３の表側の面が、全ての対象人物に対応付けられる共有ページ部１０４を構成している。２〜４番目の板片部１０３の表側の面及び４番目の板片部１０３より裏側の筐体１００の面がそれぞれ、各対象人物個別に対応付けられる個別ページ部１０５を構成している。すなわち、本実施形態に係るコミュニケーション装置１は、１つの共有ページ部１０４及び４つの個別ページ部１０５を備えており、４人の対象人物を各個別ページ部１０５に対応付けられるように構成されている。なお、以下では、表側から順に、４つの個別ページ部１０５をそれぞれ第１〜第４の個別ページ部１０５とも称する。
【００２７】
本実施形態では、５つのページ部（１０４、１０５）は、表紙部１０２及び４つの板片部１０３がヒンジ部１０１を介して回動可能に連結されていることにより、開閉可能に綴じられている。すなわち、共有ページ部１０４が開かれた状態とは、表紙部１０２のみがめくられた状態に相当する。第１の個別ページ部１０５が開かれた状態とは、表紙部１０２及び１番目の板片部１０３がめくられた状態に相当する。第２の個別ページ部１０５が開かれた状態とは、表紙部１０２及び１〜２番目の板片部１０３がめくられた状態に相当する。第３の個別ページ部１０５が開かれた状態とは、表紙部１０２及び１〜３番目の板片部１０３がめくられた状態に相当する。第４の個別ページ部１０５が開かれた状態とは、表紙部１０２及び１〜４番目の板片部１０３がめくられた状態に相当する。各ページ部（１０４、１０５）には、シール等を貼ることができ、これによって、対応させる対象人物に応じて各ページ部（１０４、１０５）をデコレーションすることができる。なお、図２は、表紙部１０２がめくられた状態、すなわち、共有ページ部１０４が開かれた状態を例示している。
【００２８】
また、筐体１００の上部、換言すると、キャラクタの顔に相当する部分には、キャラクタの耳を模した一対の耳スイッチ１０６が左右に離間して設けられており、その中央には、キャラクタの口を模した口スイッチ１０７が設けられている。各スイッチ（１０６、１０７）には、公知のスイッチを利用可能である。一方、筐体１００の下部、換言すると、キャラクタの脚及び尾に相当する部分には、内部空間に通じるスリット状の開口部１０８が設けられている。筐体１００の内部空間には、コミュニケーション装置１のシステムを構成する電子基盤等が内蔵されている。
【００２９】
次に、コミュニケーション装置１のシステム構成について説明する。図３に示すとおり、本実施形態に係るコミュニケーション装置１は、制御装置１１、記憶装置１２、通信インタフェース１３、スピーカ１４、マイク１５、検出センサ１６、耳スイッチ１０６及び口スイッチ１０７が電気的に接続されたコンピュータである。なお、図３では、通信インタフェース１３を「通信Ｉ／Ｆ」と記載している。
【００３０】
制御装置１１は、ＣＰＵ（Central Processing Unit）、ＲＡＭ（Random Access Memory）、ＲＯＭ（Read Only Memory）等を含み、プログラム及びデータに基づいて各種情報処理を実行するように構成される。記憶装置１２は、例えば、ＲＡＭ、ＲＯＭ等で構成され、制御装置１１で実行されるプログラム１２１等を記憶する。
【００３１】
通信インタフェース１３は、例えば、有線ＬＡＮ（Local Area Network）モジュール、無線ＬＡＮモジュール等により、ネットワークを介してデータサーバ３と有線又は無線通信を行うように構成される。通信インタフェース１３は、本発明の「通信部」に相当する。なお、ネットワークの種類は、例えば、インターネット、無線通信網、移動通信網、電話網、専用網等から適宜選択されてよい。
【００３２】
スピーカ１４及びマイク１５はそれぞれ、公知のものであってよい。スピーカ１４及びマイク１５は、本発明の「入出力装置」に相当し、対象人物と音声によりコミュニケーションを行うのに利用される。なお、スピーカ１４及びマイク１５は、開口部１０８を介して音声の出力及び入力が可能なように、筐体１００の内部空間の開口部１０８付近に適宜配置されている。
【００３３】
検出センサ１６は、５つのページ部（１０４、１０５）のうち開かれているページ部を検出するように適宜構成される。例えば、検出センサ１６は、ヒンジ部１０１に内蔵される磁石センサによって構成されてもよい。また、例えば、検出センサ１６は、それぞれ開かれているページ部に応じて押下される複数のマイクロスイッチにより構成されてもよい。
【００３４】
なお、コミュニケーション装置１の具体的なハードウェア構成に関して、実施形態に応じて、適宜、構成要素の省略、置換、及び追加が可能である。例えば、制御装置１１は、複数のプロセッサを含んでもよい。制御装置１１は、１又は複数のマイクロコンピュータにより構成されてもよい。記憶装置１２は、制御装置１１に含まれるＲＡＭ及びＲＯＭにより構成されてよい。
【００３５】
＜通信端末＞
次に、図４を用いて、本実施形態に係る通信端末２のハードウェア構成の一例について説明する。図４は、本実施形態に係る通信端末２のハードウェア構成の一例を模式的に例示する。
【００３６】
図４に示されるとおり、本実施形態に係る通信端末２は、制御装置２１、記憶装置２２、通信インタフェース２３、タッチパネルディスプレイ２４、スピーカ２５、及びマイク２６が電気的に接続されたコンピュータである。通信端末２は、上記コミュニケーション装置１のユーザとコミュニケーションを行う対象人物により利用される。なお、図３と同様に、図４では、通信インタフェースを「通信Ｉ／Ｆ」と記載している。
【００３７】
制御装置２１は、ＣＰＵ、ＲＡＭ、ＲＯＭ等を含み、プログラム及びデータに基づいて各種情報処理を実行するように構成される。記憶装置２２は、例えば、ＲＡＭ、ＲＯＭ等で構成され、制御装置２１で実行されるプログラム２２１等を記憶する。
【００３８】
通信インタフェース２３は、上記通信インタフェース１３と同様であり、例えば、有線ＬＡＮモジュール、無線ＬＡＮモジュール等により、ネットワークを介してデータサーバ３と有線又は無線通信を行うように構成される。通信インタフェース２３は、本発明の通信端末の「通信部」に相当する。
【００３９】
タッチパネルディスプレイ２４は、公知のものであってよく、メッセージの入力及び画像等の表示に利用される。スピーカ２５及びマイク２６はそれぞれ、公知のものであってよく、ユーザと音声によりコミュニケーションを行うのに利用される。タッチパネルディスプレイ２４及びマイク２６は、本発明の通信端末の「入力装置」に相当する。
【００４０】
なお、上記コミュニケーション装置１と同様に、通信端末２の具体的なハードウェア構成に関して、実施形態に応じて、適宜、構成要素の省略、置換、及び追加が可能である。例えば、制御装置２１は、複数のプロセッサを含んでもよい。また、通信端末２には、提供されるサービス専用に設計された情報処理装置の他、汎用のデスクトップＰＣ（Personal Computer）、スマートフォンを含む携帯電話、タブレットＰＣ等が用いられてもよい。
【００４１】
＜データサーバ＞
次に、図５を用いて、本実施形態に係るデータサーバ３のハードウェア構成の一例について説明する。図５は、本実施形態に係るデータサーバ３のハードウェア構成の一例を模式的に例示する。
【００４２】
図５に示されるとおり、本実施形態に係るデータサーバ３は、制御装置３１、記憶装置３２、及び通信インタフェース３３が電気的に接続されたコンピュータである。なお、図３及び図４と同様に、図５では、通信インタフェースを「通信Ｉ／Ｆ」と記載している。
【００４３】
制御装置３１は、ＣＰＵ、ＲＡＭ、ＲＯＭ等を含み、プログラム及びデータに基づいて各種情報処理を実行するように構成される。記憶装置３２は、例えば、ハードディスクドライブ、ソリッドステートドライブ等の補助記憶装置であり、アカウント情報３２１、装置情報３２２、録音データ３２３、メッセージデータ３２４等を記憶する。
【００４４】
アカウント情報３２１は、各対象人物を識別するための情報であり、例えば、対象人物のＩＤ、パスワード等を含む。装置情報３２２は、コミュニケーション装置１の各ページ部（１０４、１０５）を識別し、かつ各個別ページ部１０５に対応付けられた対象人物を特定するための情報であり、例えば、コミュニケーション装置１のＩＤ、各ページ部（１０４、１０５）のＩＤ、各個別ページ部１０５に対応付けられた対象人物のＩＤ、各ページ部（１０４、１０５）に対して登録された録音データ３２３及び／又はメッセージデータ３２４のＩＤ等を含む。
【００４５】
なお、本実施形態では、各個別ページ部１０５には一人の対象人物を対応付けられるようになっている。また、共有ページ部１０４には、各個別ページ部１０５に対応付けられた全ての対象人物が対応付けられる。すなわち、コミュニケーション装置１に登録された各対象人物は、自身の各個別ページ部１０５と共有ページ部１０４とに対応付けられる。
【００４６】
録音データ３２３は、マイクにより音声を録音することで生成されるデータである。メッセージデータ３２４は、音声の合成に利用可能なデータであり、例えば、テキスト、テンプレート（スタンプ）等である。録音データ３２３及びメッセージデータ３２４は、例えば、コミュニケーション装置１のＩＤ及び各ページ部（１０４、１０５）のＩＤに紐付けられることで、特定のコミュニケーション装置１の特定のページ部（１０４、１０５）に関連付けられて格納される。
【００４７】
通信インタフェース３３は、例えば、有線ＬＡＮモジュール、無線ＬＡＮモジュール等により、ネットワークを介してコミュニケーション装置１及び通信端末２と有線又は無線通信を行うように構成される。
【００４８】
なお、上記コミュニケーション装置１及び通信端末２と同様に、データサーバ３の具体的なハードウェア構成に関して、実施形態に応じて、適宜、構成要素の省略、置換、及び追加が可能である。例えば、制御装置３１は、複数のプロセッサを含んでもよい。また、データサーバ３には、提供されるサービス専用に設計された情報処理装置の他、汎用のサーバ装置、汎用のＰＣ等が用いられてもよい。
【００４９】
［機能構成］
＜コミュニケーション装置＞
次に、図６を用いて、本実施形態に係るコミュニケーション装置１の機能構成の一例を説明する。図６は、本実施形態に係るコミュニケーション装置１の機能構成の一例を模式的に例示する。
【００５０】
コミュニケーション装置１の制御装置１１は、記憶装置１２に記憶されたプログラム１２１をＲＡＭに展開する。そして、制御装置１１は、ＲＡＭに展開されたプログラム１２１をＣＰＵにより解釈及び実行することで、各構成要素を制御する。これによって、図６に示されるとおり、本実施形態に係るコミュニケーション装置１は、ページ判別部１１１、メッセージ再生部１１２、及びメッセージ登録部１１３を備えるコンピュータとして機能する。
【００５１】
ページ判別部１１１は、検出センサ１６の出力により、開かれているページ部が５つのページ部（１０４、１０５）のうちいずれであるかを判別する。メッセージ再生部１１２は、開かれているページ部に対して通信端末２から登録された録音データ３２３及び／又はメッセージデータ３２４をデータサーバ３から取得し、取得した録音データ３２３及び／又はメッセージデータ３２４を音声により再生する。メッセージ登録部１１３は、マイク１５を利用して録音データ３２３を生成し、生成した録音データ３２３を開かれているページ部（すなわち、指定されたページ部）に紐付けてデータサーバ３に登録する。
【００５２】
＜通信端末＞
次に、図７を用いて、本実施形態に係る通信端末２の機能構成の一例を説明する。図７は、本実施形態に係る通信端末２の機能構成の一例を模式的に例示する。
【００５３】
通信端末２の制御装置２１は、記憶装置２２に記憶されたプログラム２２１をＲＡＭに展開する。そして、制御装置２１は、ＲＡＭに展開されたプログラム２２１をＣＰＵにより解釈及び実行することで、各構成要素を制御する。これによって、図７に示されるとおり、本実施形態に係る通信端末２は、メッセージ再生部２１１及びメッセージ登録部２１２を備えるコンピュータとして機能する。
【００５４】
メッセージ再生部２１１は、対応する個別ページ部１０５又は共有ページ部１０４に対してコミュニケーション装置１から登録された録音データ３２３をデータサーバ３から取得し、取得した録音データ３２３を再生する。メッセージ登録部２１２は、録音データ３２３及び／又はメッセージデータ３２４を生成し、生成した録音データ３２３及び／又はメッセージデータ３２４を対応する個別ページ部１０５又は共有ページ部１０４に紐付けてデータサーバ３に登録する。
【００５５】
＜その他＞
コミュニケーション装置１及び通信端末２の各機能に関しては後述する動作例で詳細に説明する。なお、本実施形態では、コミュニケーション装置１及び通信端末２の各機能がいずれも汎用のＣＰＵによって実現される例について説明している。しかしながら、以上の機能の一部又は全部が、１又は複数の専用のプロセッサにより実現されてもよい。また、コミュニケーション装置１及び通信端末２それぞれの機能構成に関して、実施形態に応じて、適宜、機能の省略、置換及び追加が行われてもよい。
【００５６】
§３  動作例
［コミュニケーション装置］
次に、図８を用いて、コミュニケーション装置１の動作例を説明する。図８は、コミュニケーション装置１の処理手順の一例を例示する。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００５７】
まず、ステップＳ１０１では、制御装置１１は、ページ判別部１１１として機能し、検出センサ１６の検出結果に基づいて、開かれているページ部が５つのページ部（１０４、１０５）のうちいずれであるかを判別する。開かれているページ部の判別が完了すると、制御装置１１は、次のステップＳ１０２に処理を進める。
【００５８】
ステップＳ１０２では、制御装置１１は、ステップＳ１０１の処理結果に基づいて、開かれているページ部が共有ページ部１０４であるか否かを判定する。開かれているページ部が共有ページ部１０４であると判定した場合には、制御装置１１は、次のステップＳ１０４に処理を進める。一方、開かれているページ部が共有ページ部１０４ではないと判定した場合には、制御装置１１は、次のステップＳ１０３に処理を進める。
【００５９】
ステップＳ１０３では、制御装置１１は、ステップＳ１０１の処理結果に基づいて、開かれているページ部が個別ページ部１０５であるか否かを判定する。開かれているページ部が個別ページ部１０５であると判定した場合には、制御装置１１は、次のステップＳ１０５に処理を進める。一方、開かれているページ部が個別ページ部１０５ではないと判定した場合には、制御装置１１は、本動作例に係る処理を終了する。
【００６０】
ステップＳ１０４では、制御装置１１は、共有ページモードの処理を実行する。共有ページモードの処理が完了すると、制御装置１１は、本動作例に係る処理を終了する。同様に、ステップＳ１０５では、制御装置１１は、個別ページモードの処理を実行する。個別ページモードの処理が完了すると、制御装置１１は、本動作例に係る処理を終了する。
【００６１】
＜共有ページモード＞
次に、図９を用いて、共有ページモードの処理手順の一例を説明する。図９は、上記ステップＳ１０４における共有ページモードの処理手順の一例を例示する。
【００６２】
まず、ステップＳ１０４１では、制御装置１１は、耳スイッチ１０６及び口スイッチ１０７のいずれかが押下されたか否かを判定する。耳スイッチ１０６及び口スイッチ１０７のいずれかが押下されたと判定した場合には、制御装置１１は、次にステップＳ１０４２に処理を進める。一方、耳スイッチ１０６及び口スイッチ１０７のいずれも押下されていないと判定した場合には、制御装置１１は、次のステップＳ１０４４に処理を進める。
【００６３】
ステップＳ１０４２では、制御装置１１は、メッセージ再生部１１２として機能し、通信インタフェース１３を制御し、ネットワークを介してデータサーバ３にアクセスする。そして、制御装置１１は、自装置の共有ページ部１０４に対して通信端末２から登録された録音データ３２３及び／又はメッセージデータ３２４の送信をデータサーバ３に要求する。これに応じて、データサーバ３の制御装置３１は、装置情報３２２を参照し、要求元のコミュニケーション装置１の共有ページ部１０４に紐付けられている録音データ３２３及び／又はメッセージデータ３２４を記憶装置３２から取得する。そして、制御装置３１は、取得した録音データ３２３及び／又はメッセージデータ３２４を要求元のコミュニケーション装置１に送信する。これにより、制御装置１１は、共有ページ部１０４に対して通信端末２から登録された録音データ３２３及び／又はメッセージデータ３２４をデータサーバ３から取得する。録音データ３２３及び／又はメッセージデータ３２４を取得すると、制御装置１１は、次のステップＳ１０４３に処理を進める。
【００６４】
ステップＳ１０４３では、制御装置１１は、メッセージ再生部１１２として機能し、ステップＳ１０４２で取得した録音データ３２３及び／又はメッセージデータ３２４をスピーカ１４により再生する。これにより、共有ページ部１０４に対して登録された各対象人物からのメッセージを受け取ることができる。
【００６５】
このとき、制御装置１１は、録音データ３２３から得られる音声を、筐体１００の模した鳥のキャラクタの音声に変換してもよい。また、制御装置１１は、筐体１００の模した鳥のキャラクタの音声をメッセージデータ３２４から生成してもよい。音声の変換及び生成には、公知の音声合成手法を用いることができる。そして、制御装置１１は、変換した音声をスピーカ１４から出力する。これにより、制御装置１１は、開かれているページ部が共有ページ部１０４である場合に、共有ページ部１０４に対応付けられた全ての対象人物を所定のキャラクタ（本実施形態では、鳥のキャラクタ）に置き換えて、当該キャラクタがコミュニケーションの相手になるように、当該コミュニケーションを制御する。変換した音声の出力が完了すると、制御装置１１は、共有ページモードに係るサブルーチンの処理を終了する。
【００６６】
ステップＳ１０４４では、制御装置１１は、耳スイッチ１０６及び口スイッチ１０７が所定期間内に一定回数以上操作されたか否かを判定する。これにより、制御装置１１は、コミュニケーション装置１が所定期間内に一定回数以上利用されたか否かを判定する。耳スイッチ１０６及び口スイッチ１０７が所定期間内に一定回数以上操作されたと判定した場合には、制御装置１１は、次のステップＳ１０４５に処理を進める。一方、耳スイッチ１０６及び口スイッチ１０７が所定期間内に一定回数以上操作されていないと判定した場合には、制御装置１１は、共有ページモードに係るサブルーチンの処理を終了する。
【００６７】
ステップＳ１０４５では、制御装置１１は、メッセージ登録部１１３として機能し、音声によるメッセージの登録を受け付ける。具体的には、制御装置１１は、マイク１５を制御し、音声の録音を受け付ける。これにより、制御装置１１は、録音データ３２３を生成する。録音データ３２３を生成し終えると、制御装置１１は、次のステップＳ１０４６に処理を進める。
【００６８】
なお、ステップＳ１０４５の処理の前に、制御装置１１は、鳥のキャラクタがユーザに対して発話を促すような内容の音声をスピーカ１４から出力するようにしてもよい。この場合、制御装置１１は、各対象人物が直接ユーザに訊きにくい内容を問う音声をスピーカ１４から出力するようにしてもよい。
【００６９】
ステップＳ１０４６では、制御装置１１は、メッセージ登録部１１３として機能し、通信インタフェース１３を制御し、ネットワークを介してデータサーバ３にアクセスする。そして、制御装置１１は、データサーバ３に対して、ステップＳ１０４５で生成した録音データ３２３を送信し、送信した録音データ３２３を開かれている共有ページ部１０４に紐付けて登録するように要求する。データサーバ３の制御装置３１は、装置情報３２２を適宜更新することで、コミュニケーション装置１から受信した録音データ３２３を共有ページ部１０４に紐付けた上で記憶装置３２に格納する。これにより、全ての対象人物に対してメッセージを送ることができる。録音データ３２３の登録完了通知をデータサーバ３から受け取ると、制御装置１１は、共有ページモードに係るサブルーチンの処理を終了する。
【００７０】
＜個別ページモード＞
次に、図１０を用いて、個別ページモードの処理手順の一例を説明する。図１０は、上記ステップＳ１０５における個別ページモードの処理手順の一例を例示する。
【００７１】
まず、ステップＳ１０５１では、制御装置１１は、口スイッチ１０７が押下されたか否かを判定する。口スイッチ１０７が押下されたと判定した場合には、制御装置１１は、次のステップＳ１０５２に処理を進める。一方、口スイッチ１０７が押下されていないと判定した場合には、制御装置１１は、次のステップＳ１０５４に処理を進める。
【００７２】
ステップＳ１０５２では、制御装置１１は、メッセージ再生部１１２として機能し、通信インタフェース１３を制御し、ネットワークを介してデータサーバ３にアクセスする。そして、制御装置１１は、上記ステップＳ１０１で開かれていると判別した自装置の個別ページ部１０５に対して通信端末２から登録された録音データ３２３及び／又はメッセージデータ３２４の送信をデータサーバ３に要求する。これに応じて、データサーバ３の制御装置３１は、装置情報３２２を参照し、要求元のコミュニケーション装置１の対応する個別ページ部１０５に紐付けられている録音データ３２３及び／又はメッセージデータ３２４を記憶装置３２から取得する。そして、制御装置３１は、取得した録音データ３２３及び／又はメッセージデータ３２４を要求元のコミュニケーション装置１に送信する。これにより、制御装置１１は、開かれていると判別した個別ページ部１０５に対して、対応する対象人物の通信端末２から登録された録音データ３２３及び／又はメッセージデータ３２４をデータサーバ３から取得する。録音データ３２３及び／又はメッセージデータ３２４を取得すると、制御装置１１は、次のステップＳ１０５３に処理を進める。
【００７３】
ステップＳ１０５３では、制御装置１１は、メッセージ再生部１１２として機能し、ステップＳ１０５２で取得した録音データ３２３及び／又はメッセージデータ３２４をスピーカ１４により再生する。これにより、開かれている個別ページ部１０５に対応する対象人物からのメッセージを受け取ることができる。
【００７４】
ここで、制御装置１１は、録音データ３２３をそのまま再生する。これにより、開かれていると判別した個別ページ部１０５に対応する対象人物の音声がスピーカ１４から出力される。一方、制御装置１１は、メッセージデータ３２４を音声合成して、音声データに変換する。このとき、生成する音声の種類は、実施の形態に応じて適宜選択されてよい。例えば、制御装置１１は、開かれていると判別した個別ページ部１０５に対応する対象人物の音声に模した音声を生成してもよい。また、制御装置１１は、上記鳥のキャラクタを含む所定のキャラクタの音声に模した音声を生成してもよい。所定のキャラクタの音声に模した音声を生成する場合、制御装置１１は、当該キャラクタが対象人物の代わりに述べていることが分かるようにメッセージを伝聞調に修正してもよい。スピーカ１４による音声の出力が完了すると、制御装置１１は、個別ページモードに係るサブルーチンの処理を終了する。
【００７５】
ステップＳ１０５４では、制御装置１１は、耳スイッチ１０６が押下されたか否かを判定する。耳スイッチ１０６が押下されたと判定した場合には、制御装置１１は、次のステップＳ１０５５に処理を進める。一方、耳スイッチ１０６が押下されていないと判定した場合には、制御装置１１は、個別ページモードに係るサブルーチンの処理を終了する。
【００７６】
ステップＳ１０５５では、制御装置１１は、メッセージ登録部１１３として機能し、上記ステップＳ１０４５と同様に、マイク１５を制御して、音声の録音を受け付ける。これにより、制御装置１１は、録音データ３２３を生成する。録音データ３２３を生成し終えると、制御装置１１は、次のステップＳ１０５６に処理を進める。
【００７７】
ステップＳ１０５６では、制御装置１１は、メッセージ登録部１１３として機能し、通信インタフェース１３を制御し、ネットワークを介してデータサーバ３にアクセスする。そして、制御装置１１は、データサーバ３に対して、ステップＳ１０５５で生成した録音データ３２３を送信し、送信した録音データ３２３を開かれている個別ページ部１０５に紐付けて登録するように要求する。データサーバ３の制御装置３１は、装置情報３２２を適宜更新することで、コミュニケーション装置１から受信した録音データ３２３を対象の個別ページ部１０５に紐付けた上で記憶装置３２に格納する。これにより、開かれている個別ページ部１０５に対応付けられた対象人物にメッセージを送ることができる。録音データ３２３の登録完了通知をデータサーバ３から受け取ると、制御装置１１は、個別ページモードに係るサブルーチンの処理を終了する。
【００７８】
（小括）
以上のように、本実施形態に係る制御装置１１は、ステップＳ１０１における開かれているページ部の判別結果に基づいて、ステップＳ１０４の共有ページモード及びＳ１０５の個別ページモードのいずれかの処理を実行する。各モードの処理では、制御装置１１は、開かれているページ部に対して登録された録音データ３２３及び／又はメッセージデータ３２４を取得し、取得した録音データ３２３及び／又はメッセージデータ３２４を再生する。また、制御装置１１は、録音データ３２３を生成し、生成した録音データ３２３を開かれているページ部に紐付けてデータサーバ３に登録する。これにより、本実施形態に係る制御装置１１は、開かれているページ部に対応する対象人物がコミュニケーションの相手になるように、スピーカ１４及びマイク１５によるコミュニケーションを制御する。
【００７９】
［通信端末］
次に、図１１を用いて、通信端末２の動作例を説明する。図１１は、通信端末２の処理手順の一例を例示する。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００８０】
まず、ステップＳ２０１では、制御装置２１は、通信インタフェース２３を制御して、ネットワークを介してデータサーバ３にアクセスし、当該データサーバ３にログインする。例えば、制御装置２１は、ＩＤ及びパスワードの入力を受け付ける。通信端末２を利用する対象人物は、タッチパネルディスプレイ２４を操作して、自身のＩＤ及びパスワードを入力する。制御装置２１は、入力されたＩＤ及びパスワードをデータサーバ３に送信する。データサーバ３の制御装置３１は、受信したＩＤ及びパスワードとアカウント情報３２１に登録された対象人物のＩＤ及びパスワードとが一致するか否か判定することで、ログイン処理を行う。ログイン処理が成立すると、制御装置２１は、次のステップＳ２０２に処理を進める。一方、ログイン処理が失敗した場合には、制御装置２１は、ＩＤ及びパスワードの入力を再度受け付ける。
【００８１】
ステップＳ２０２では、制御装置２１は、アクセスするコミュニケーション装置１の選択を受け付ける。本実施形態では、対象人物は、複数のコミュニケーション装置１に対応付けられる可能性がある。そこで、対象人物は、タッチパネルディスプレイ２４を操作して、自身のアカウントに紐付けられた１又は複数のコミュニケーション装置１の中からアクセスするコミュニケーション装置１を選択する。コミュニケーション装置１に自身のアカウントが紐付けられた状態とは、コミュニケーション装置１のいずれかの個別ページ部１０５に自身が対応付けられた状態を指す。アクセスするコミュニケーション装置１の選択が完了すると、制御装置２１は、次のステップＳ２０３に処理を進める。
【００８２】
ステップＳ２０３では、制御装置２１は、ステップＳ２０２で選択したコミュニケーション装置１の共有ページ部１０４及び自身が対応付けられた個別ページ部１０５のうちいずれにアクセスするかを選択する。対象人物は、タッチパネルディスプレイ２４を操作して、共有ページ部１０４及び自身が対応付けられた個別ページ部１０５のうちいずれか一方を選択する。当該アクセスするページ部の選択が完了すると、制御装置２１は、次のステップＳ２０４に処理を進める。
【００８３】
ステップＳ２０４では、制御装置２１は、ステップＳ２０２で選択したコミュニケーション装置１のステップＳ２０３で選択した対象のページ部に対してコミュニケーション装置１から登録された録音データ３２３の再生を行うか否かの選択を受け付ける。対象人物は、タッチパネルディスプレイ２４を操作して、録音データ３２３の再生を行うか否かを選択する。録音データ３２３の再生を行うことが選択された場合には、制御装置２１は、次のステップＳ２０５に処理を進める。一方、録音データ３２３の再生を行わないことが選択された場合には、制御装置２１は、次のステップＳ２０７に処理を進める。
【００８４】
ステップＳ２０５では、制御装置２１は、メッセージ再生部２１１として機能し、ステップＳ２０３で選択した対象のページ部に対してコミュニケーション装置１から登録された録音データ３２３の送信をデータサーバ３に要求する。これに応じて、データサーバ３の制御装置３１は、装置情報３２２を参照し、対象のコミュニケーション装置１の対象のページ部に紐付けられている録音データ３２３を記憶装置３２から取得する。そして、制御装置３１は、取得した録音データ３２３を要求元の通信端末２に送信する。これにより、制御装置２１は、共有ページ部１０４及び自身が対応付けられた個別ページ部１０５のうち上記ステップＳ２０３で選択したページ部に対してコミュニケーション装置１から登録された録音データ３２３をデータサーバ３から取得する。録音データ３２３を取得すると、制御装置２１は、次のステップＳ２０６に処理を進める。
【００８５】
ステップＳ２０６では、制御装置２１は、メッセージ再生部２１１として機能し、ステップＳ２０５で取得した録音データ３２３をスピーカ２５により再生する。これにより、共有ページ部１０４又は自身の個別ページ部１０５に対してコミュニケーション装置１から登録されたメッセージを受け取ることができる。スピーカ２５による録音データ３２３の音声の出力が完了すると、制御装置２１は、本動作例に係る処理を終了する。
【００８６】
ステップＳ２０７では、制御装置２１は、ステップＳ２０２で選択したコミュニケーション装置１のステップＳ２０３で選択した対象のページ部に対してメッセージの登録を行うか否かの選択を受け付ける。対象人物は、タッチパネルディスプレイ２４を操作して、メッセージの登録を行うか否かを選択する。メッセージの登録を行うことが選択された場合には、制御装置２１は、次のステップＳ２０８に処理を進める。一方、メッセージの登録を行わないことが選択された場合には、制御装置２１は、本動作例に係る処理を終了する。
【００８７】
ステップＳ２０８では、制御装置２１は、メッセージ登録部２１２として機能し、タッチパネルディスプレイ２４又はマイク２６を介して、対象のコミュニケーション装置１のユーザに伝達するメッセージの登録を受け付ける。タッチパネルディスプレイ２４を利用する場合には、制御装置２１は、タッチパネルディスプレイ２４を介したメッセージの入力を受け付ける。例えば、制御装置２１は、タッチパネルディスプレイ２４によるテキスト入力を受け付ける。また、例えば、制御装置２１は、複数のテンプレート（スタンプ）を表示して、表示した複数のテンプレートのうちからメッセージとするテンプレートの選択を受け付ける。これにより、制御装置２１は、テキスト又はテンプレートで構成されたメッセージデータ３２４を生成する。一方、マイク２６を利用する場合には、制御装置２１は、マイク２６を制御して、音声の録音を受け付ける。これにより、制御装置２１は、録音データ３２３を生成する。メッセージの登録が完了すると、制御装置２１は、次のステップＳ２０９に処理を進める。
【００８８】
ステップ２０９では、制御装置２１は、ステップＳ２０８で生成した録音データ３２３及び／又はメッセージデータ３２４をデータサーバ３に送信する。そして、制御装置２１は、データサーバ３に対して、送信した録音データ３２３及び／又はメッセージデータ３２４を、ステップＳ２０２で選択したコミュニケーション装置１のステップＳ２０３で選択したページ部に紐付けて登録するように要求する。データサーバ３の制御装置３１は、装置情報３２２を適宜更新することで、通信端末２から受信した録音データ３２３及び／又はメッセージデータ３２４を対象のコミュニケーション装置１の対象のページ部に紐付けた上で記憶装置３２に格納する。これにより、指定のページ部を介して、コミュニケーション装置１のユーザにメッセージを送ることができる。すなわち、ステップＳ２０３で選択したページ部が開かれた際に、入力したメッセージが上記ステップＳ１０４３又はＳ１０５３により再生されるように、当該入力したメッセージをコミュニケーション装置１に向けて送信することができる。録音データ３２３及び／又はメッセージデータ３２４の登録完了通知をデータサーバ３から受け取ると、制御装置２１は、本動作例に係る処理を終了する。
【００８９】
［特徴］
以上のとおり、本実施形態に係るコミュニケーション装置１では、ステップＳ１０１により、開かれているページ部を判別することができる。そして、ステップＳ１０４２及びＳ１０４３又はステップＳ１０５２及びＳ１０５３により、開かれているページ部に対して通信端末２から登録された録音データ３２３及び／又はメッセージデータ３２４を取得し、取得した録音データ３２３及び／又はメッセージデータ３２４を再生することができる。また、ステップＳ１０４５及びＳ１０４６又はステップＳ１０５５及びＳ１０５６により、録音データ３２３を生成し、生成した録音データ３２３を開かれているページ部に紐付けてデータサーバ３に登録することができる。したがって、本実施形態に係るコミュニケーション装置１によれば、ユーザは、開いたページ部により、コミュニケーションを行う相手を明確に特定することができる。
【００９０】
また、本実施形態では、全ての対象人物に対応付けられる共有ページ部１０４及び各対象人物個別に対応付けられる個別ページ部１０５が設けられる。これによって、上記ステップＳ２０３〜Ｓ２０６の処理により、共有ページ部１０４を利用したやりとりは、複数の対象人物全員に共有するようにすることができ、個別ページ部１０５を利用したやりとりは、対応する対象人物にのみ開示されるようにすることができる。したがって、共有ページ部１０４及び個別ページ部１０５の２種類のページ部を利用することで、ユーザは、各対象人物との間のやりとりを開示する範囲を切り替えることができる。
【００９１】
また、本実施形態では、ステップＳ１０４の共有ページモードにおいて、所定のキャラクタに置き換えて、メッセージの再生がなされる。また、所定のキャラクタに対してメッセージを登録するようにすることができる。そのため、対象人物及びユーザは、互いに直接的には伝達し難いメッセージを、キャラクタを介して間接的に伝達することができる。すなわち、キャラクタを介したコミュニケーションを可能にすることで、メッセージを伝達する際の心理的な障害を低減することができ、これによって、対象人物とユーザとの間のコミュニケーションを促進することができる。
【００９２】
§４  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００９３】
＜４．１＞
例えば、上記実施形態では、コミュニケーション装置１及び通信端末２は、データサーバ３を介してメッセージのやりとりを行っている。しかしながら、メッセージの伝達経路は、このような例に限られなくてもよい。例えば、コミュニケーション装置１及び通信端末２は互いに直接メッセージのやりとりを行ってもよい。
【００９４】
＜４．２＞
また、例えば、上記実施形態では、コミュニケーションは音声により行われる。しかしながら、メッセージの伝達媒体は音声に限定されなくてもよく、コミュニケーションを行うための入出力装置はマイク及びスピーカに限定されなくてもよい。例えば、テキスト等によって、コミュニケーションが行われてもよい。この場合、コミュニケーション装置１は、入出力装置として、キーボード及びディスプレイを備えてもよい。ディスプレイは、ページ部毎に設けられてもよいし、全てのページ部に共通で設けられてもよい。キーボード及びディスプレイはタッチパネルディスプレイに置き換えられてもよい。なお、上記実施形態において、録音データ３２３及びメッセージデータ３２４のうちいずれか一方は省略されてもよい。
【００９５】
＜４．３＞
また、例えば、上記実施形態では、複数のページ部は共有ページ部１０４と個別ページ部１０５とに分けられている。しかしながら、共有ページ部及び個別ページ部の区別はなくてもよい。また、上記実施形態では、共有ページ部１０４を介したコミュニケーションでは、所定のキャラクタが用いられる。しかしながら、共有ページ部１０４を介したコミュニケーションにおいて、所定のキャラクタが用いられなくてもよい。この場合、上記ステップＳ１０４３では、制御装置１１は、録音データ３２３をそのまま再生してもよい。また、共有ページ部１０４及び個別ページ部１０５それぞれの数は、上記実施形態の例に限定されなくてもよく、実施の形態に応じて適宜設定されてよい。
【００９６】
＜４．４＞
また、例えば、上記実施形態において、制御装置１１は、いずれかのページ部が開いている状態、いずれのページ部も開いていない状態等のステータスをデータサーバ３に送信してもよい。また、データサーバ３は、対象のコミュニケーション装置１のステータスを通信端末２に表示させてもよい。これにより、対象人物は、コミュニケーション装置１の状態を知ることができ、ユーザとコミュニケーションをとりやすいか否かを判断することができる。
【００９７】
＜４．５＞
また、例えば、上記実施形態では、筐体１００は、鳥のキャラクタを模した形状を有しているため、コミュニケーション装置１を当該鳥のキャラクタに見立てた上で、起床時間と就寝時間とが設定されてもよい。この場合、コミュニケーション装置１は、就寝時間から起床時間までの間は起動しないようにし、起床時間から就寝時間までの間は起動するようにしてもよい。更に、定期又は不定期に起床時間を過ぎてもコミュニケーション装置１が起動しないようにし、ユーザからの操作（例えば、各スイッチの押下）により、コミュニケーション装置１が起動するようにしてもよい。このようにコミュニケーション装置１の起動を制御することで、鳥のキャラクタを「起こす」作業をユーザに体験させることができ、これによって、コミュニケーション装置１の利用を促進することができる。
【符号の説明】
【００９８】
１…コミュニケーション装置、
１００…筐体、１０１…ヒンジ、１０２…表紙部、１０３…板片部、
１０４…共有ページ部、１０５…個別ページ部、
１０６…耳スイッチ、１０７…口スイッチ、１０８…開口部、
１１…制御装置、１２…記憶装置、１３…通信インタフェース、
１４…スピーカ、１５…マイク、１６…検出センサ、
１１１…ページ判別部、１１２…、メッセージ再生部
１１３…メッセージ登録部、
１２１…プログラム、
２…通信端末、
２１…制御装置、２２…記憶装置、２３…通信インタフェース、
２４…タッチパネルディスプレイ、
２５…スピーカ、２６…マイク、
２１１…メッセージ再生部、２１２…、メッセージ登録部
２２１…プログラム、
３…データサーバ、
３１…制御装置、３２…記憶装置、３３…通信インタフェース、
３２１…アカウント情報、３２２…装置情報、
３２３…録音データ、３２４…メッセージデータ
【図１】
2018147441.tif 000003
【図２】
2018147441.tif 000004
【図３】
2018147441.tif 000005
【図４】
2018147441.tif 000006
【図５】
2018147441.tif 000007
【図６】
2018147441.tif 000008
【図７】
2018147441.tif 000009
【図８】
2018147441.tif 000010
【図９】
2018147441.tif 000011
【図１０】
2018147441.tif 000012
【図１１】
2018147441.tif 000013